(57)【要約】【解決手段】容器内空間（１８）を有する本体（１１）及び開口部（１４）を備える容器（１０）であり、開口部（１４）は、略閉鎖形態に付勢され、容器（１０）の少なくとも対向する部分（１２、１３）は、容器内空間（１８）の容量を最小化するために、互いに向けて弾性付勢される容器（１０）であって、使用者が、使用時に、容器（１０）の少なくとも一部を一時的に変形させて、開口部（１４）を通して、少なくとも１つのアイテムを容器空間（１８）内に挿入でき、容器（１０）の少なくとも対向する部分（１２、１３）を弾性付勢することで、使用時に、容器空間（１８）に受容される少なくとも１つのアイテムに対して圧縮力を印加できる容器。【選択図】図１
2014534138.tif 000002
【特許請求の範囲】
【請求項１】
容器内空間を有する本体及び開口部を備える容器であり、前記開口部は、略閉鎖形態に付勢され、前記容器の少なくとも対向する部分は、前記容器内空間の容量を最小化するために、互いに向けて弾性付勢される容器であって、使用者が、使用時に、前記容器の少なくとも一部を一時的に変形させて、前記開口部を通して、少なくとも１つのアイテムを前記容器空間内に挿入でき、前記容器の前記少なくとも対向する部分を弾性付勢することで、使用時に、前記容器空間に受容される前記少なくとも１つのアイテムに対して圧縮力を印加できる容器。
【請求項２】
請求項１に記載の容器であって、
前記容器は、使い捨て可能である、容器。
【請求項３】
請求項１に記載の容器であって、
前記開口部は、略密閉形態に付勢される、容器。
【請求項４】
請求項１に記載の容器であって、
前記容器の前記少なくとも対向する部分は、弾性材料から作製される、容器。
【請求項５】
請求項１に記載の容器であって、
前記開口部は、前記本体に形成されるスリットを備える、容器。
【請求項６】
請求項１に記載の容器であって、
前記本体は、少なくとも１枚のパネルを備え、前記開口部は、前記本体の１枚のパネルに沿って形成される、容器。
【請求項７】
請求項１に記載の容器であって、
前記本体は、少なくとも１つの縁部を備え、前記開口部は、前記本体の１つの縁部に隣接して形成される、容器。
【請求項８】
請求項１に記載の容器であって、
前記本体は、前記容器空間が拡張可能に構成される、容器。
【請求項９】
請求項１に記載の容器であって、
前記本体の第２部分は、伸縮可能な材料及び／又は拡張可能な材料から作製される、容器。
【請求項１０】
請求項９に記載の容器であって、
前記本体の前記第２部分は、弾性材料から作製される、容器。
【請求項１１】
請求項１に記載の容器であって、
前記開口部を閉鎖するためのフラップを更に備える、容器。
【請求項１２】
請求項１１に記載の容器であって、
前記開口部は、使用時に、前記開口部の前記縁部の少なくとも中間部分を離間させて、一時的に拡張される、容器。
【請求項１３】
請求項１に記載の容器であって、
前記本体は、全体的に円盤形状である、容器。
【請求項１４】
請求項１に記載の容器であって、
前記本体は、略扁平である、容器。
【請求項１５】
請求項１に記載の容器であって、
前記本体は、第１パネル及び第２パネルを備え、両パネルは、該パネル間で前記容器空間を画定するよう、該パネルの略周縁部周りで互いに結合される、容器。
【請求項１６】
請求項１５に記載の容器であって、
前記開口部は、前記第１パネルを横断して延在する、容器。
【請求項１７】
請求項１５に記載の容器であって、
前記第１パネルの少なくとも一部は、前記開口部を一時的に拡張するために、変形可能又は湾曲可能である、容器。
【請求項１８】
請求項１５に記載の容器であって、
前記第２パネルは、伸縮可能な材料及び／又は拡張可能な材料から作製される、容器。
【請求項１９】
請求項１５に記載の容器であって、
前記第２パネルは、弾性材料から作製される、容器。
【請求項２０】
請求項１５に記載の容器であって、
前記第１パネル及び／又は第２パネルは、前記開口部を閉鎖するために、前記開口部の上に折り曲げられるカバーフラップを備える、容器。
【請求項２１】
請求項１５に記載の容器であって、
前記第１パネルは、全体的に扁平な形態を維持する、容器。
【請求項２２】
請求項１５に記載の容器であって、
前記第１パネルと前記第２パネルは、略剛性であり、伸縮可能な周辺材料によって接合される、容器。
【請求項２３】
請求項２２に記載の容器であって、
前記周辺材料は、弾性材料である、容器。
【請求項２４】
請求項２２に記載の容器であって、
前記周辺材料は、前記第１パネル及び前記第２パネルと一体的に形成される、容器。
【請求項２５】
請求項２２に記載の容器であって、
前記周辺材料は、前記第１パネル及び前記第２パネルに取り付けられる別の片体である、容器。
【請求項２６】
請求項１に記載の容器であって、
前記容器は、易生物分解性材料から作製される、容器。
【請求項２７】
請求項１に記載の容器であって、
前記容器は、易生物分解性プラスチック材料から作製される、容器。
【請求項２８】
請求項１に記載の容器であって、
前記容器は、不透液性材料から作製される、容器。
【請求項２９】
請求項１に記載の容器であって、
前記容器は、抗菌性材料から作製される、容器。
【請求項３０】
請求項１に記載の容器であって、
前記容器は、１個の一体化した材料片から作製される、容器。
【請求項３１】
請求項１に記載の容器であって、
前記容器空間内に配置されるライナを更に備える、容器。
【請求項３２】
請求項３１に記載の容器であって、
前記ライナは、略剛性である、容器。
【請求項３３】
請求項３１に記載の容器であって、
前記ライナは、略円盤形状である、容器。
【請求項３４】
請求項３１に記載の容器であって、
前記ライナは、前記本体開口部と位置合わせされた孔を備える、容器。
【請求項３５】
請求項３１に記載の容器であって、
前記ライナは、再生材料又は易生物分解性材料から作製される、容器。
【請求項３６】
請求項３１に記載の容器であって、
前記ライナは、前記容器空間を選択的に拡張するように構成される、容器。
【請求項３７】
請求項３１に記載の容器であって、
前記ライナは、２つの側部及び少なくとも２つの底部を備え、前記少なくとも２つの底部は、前記容器空間を選択的に拡張するために、前記側部に対して折り曲げられる、容器。
【請求項３８】
請求項３７に記載の容器であって、
前記２つの側部及び前記少なくとも２つの底部は其々、一形態では、互いに略平行で対向する、容器。
【請求項３９】
請求項３７に記載の容器であって、
少なくとも１本の折目線で、前記少なくとも２つの底部を結合する、容器。
【請求項４０】
請求項３７に記載の容器であって、
少なくとも１本の折目線で、各側部を前記底部の少なくとも１つに結合する、容器。
【請求項４１】
請求項３７に記載の容器であって、
前記開口部に隣接する前記ライナの辺は、互いにずらされる、容器。
【請求項４２】
請求項３７に記載の容器であって、
前記開口部に隣接する片方の側部の１辺は、切欠きを備え、前記容器は、対応する切欠きを備える、容器。
【請求項４３】
請求項１に記載の容器であって、
前記容器は、前記容器の空間内に収納されたアイテムを略圧縮するように構成される、容器。
【請求項４４】
請求項１５に記載の容器であって、
前記第２パネルは巻管であり、前記容器の空間は、前記巻管を徐々に広げることで拡張可能である、容器。
【請求項４５】
請求項４４に記載の容器であって、
前記第１パネルは、前記巻管の巻周縁部が収容される湾曲された端縁部を含む、容器。
【請求項４６】
請求項１に記載の容器であって、
前記本体及びライナを備え、
前記本体は、ベースパネルと、該ベースパネルから延在する側壁と、中心孔を画定し前記側壁から内方に延在する内周フランジとを備え、
前記ライナは、前記中心孔を横断して延在し、前記開口部を画定する上側のメインパネルと、該メインパネルの周縁部から下方に延在する側壁とを備え、
前記本体は、弾性材料から作製され、
前記ライナは、前記本体の形状を維持する、容器。
【請求項４７】
請求項４６に記載の容器であって、
前記開口部は、十字形であり、前記十字形の交点にスリット部分を備える、容器。
【請求項４８】
請求項４６に記載の容器であって、
前記ベースパネルは、伸縮可能又は拡張可能である、容器。
【請求項４９】
請求項１に記載の容器であって、
前記本体は、ベースパネルと、該ベースパネルから延在する側壁と、前記開口部を画定する前記側壁から内方に延在する内周フランジとを備え、
前記側壁は、使用時に拡張可能となるように蛇腹形状をしており、圧縮形状に弾性付勢される、容器。
【請求項５０】
請求項１に記載の容器であって、
前記本体は、ベースパネルと、該ベースパネルから延在する側壁と、前記開口部を画定する前記側壁から内方に延在する内周フランジとを備え、
前記ベースパネルは、使用時に拡張可能になるように、一連の同心状襞を備え、該襞が折り畳まれた形態に弾性付勢される、容器。
【請求項５１】
請求項５０に記載の容器であって、
前記本体の形状を維持するために、前記側壁の上周縁部間に延在するパネル体を更に備える、容器。
【請求項５２】
請求項５１に記載の容器であって、
前記パネル体は、中心孔を備え、該中心孔には、該孔を横断して延在するライナを有し、前記ライナは、前記中心孔を横断して延在するスリット開口部を有する、容器。
【請求項５３】
請求項１に記載の容器であって、
前記容器は、前記本体及び支持部材を備え、
前記本体は、下縁部と側縁部に沿って接合される第１パネル及び第２パネルを備え、
前記支持部材は、前記第１パネル及び前記第２パネルの上部を其々被覆する第１部分及び第２部分を形成するために、中央の折り目に沿って折り曲げられるパネル体を備え、
前記第１部分及び前記第２部分其々は、前記本体の前記開口部内に折り曲げられる上フランジを備える、容器。
【請求項５４】
請求項１に記載の容器であって、
前記容器は、前記本体及び支持部材を備え、
前記本体は、底部パネルによって下縁部に沿って、及び全体的に三角形の側部パネルによって側縁部に沿って接合される第１パネル及び第２パネルを備え、
前記支持部材は、前記第１パネル及び前記第２パネルの其々に取り付けられる剛性又は半剛性のパネルを備え、
前記容器は、前記第１パネルと前記第２パネルが互いに隣接するコンパクトな形態になるように、弾性付勢され、
前記容器は、前記第１パネルと前記第２パネルの下端部が、互いに離隔して、その結果、前記底部パネルと前記側部パネルを広げて、拡張されることができる、容器。
【請求項５５】
請求項１に記載の容器であって、
前記本体は、下縁部と側縁部に沿って接合される第１パネル及び第２パネルを備え、
前記第１パネルと前記第２パネルの上縁部は、前記本体の前記開口部を画定し、
前記上縁部は、全体的にＵ字型をしており、前記第１パネル及び前記第２パネルの前記上部で取っ手を形成し、
前記取っ手は、前記容器開口部を閉鎖するために、互いに結ぶことができる、容器。
【請求項５６】
請求項１に記載の容器であって、
前記本体は、剛性又は半剛性の挿入体及び可撓性カバーを備え、
前記挿入体は、折り曲げられ、自由端を含み、該自由端間で前記開口部を画定し、
前記カバーは、前記挿入体の外面を被覆し、
前記挿入体は、該挿入体を全体的に三角形状にするための更なる折り目を備える、容器。
【請求項５７】
請求項５６に記載の容器であって、
前記折り目は、前記容器が、所望に応じて、拡張形態のままに保たれ、且つ前記折り目が作動されると、折り曲げ形態に復帰するように構成される、容器。
【請求項５８】
請求項１に記載の容器であって、
前記本体は、閉鎖下部と、スリット開口部を含む上部とを有し、全体的に扁平で丸い豆果形を有しており、
前記開口部の両側に配置された前記本体の側縁部を互いに向けて絞ることによって、前記本体を変形し、前記開口部を拡大する、容器。
【請求項５９】
請求項５８に記載の容器であって、
前記本体は、全体的に、縁部に沿って接合された２個の半体を備える、容器。
【請求項６０】
容器内空間、及び閉鎖形態に付勢される開口部を有する容器内に少なくとも１つのアイテムを廃棄する方法であって、該方法は、前記少なくとも１つのアイテムを前記開口部を通じて、前記容器の少なくとも一部を一時的に変形させて、挿入することを備え、前記容器は、前記容器空間を最小化するために、弾性付勢され、使用時に、前記空間の内容物に対して圧縮力を印加する、方法。
【請求項６１】
請求項１〜５８の何れか一項に記載の容器が取り付けられた、拭き取り繊維ディスペンサ。
【請求項６２】
請求項６１に記載の拭き取り繊維ディスペンサであって、
前記容器は、前記拭き取り繊維ディスペンサに取り外し可能に取り付けられる、拭き取り繊維ディスペンサ。
【請求項６３】
請求項６１に記載の拭き取り繊維ディスペンサであって、
前記拭き取り繊維ディスペンサは、ティッシュディスペンサである、拭き取り繊維ディスペンサ。
【発明の詳細な説明】
【技術分野】
【０００１】
本発明は、容器に関し、好適実施形態では、使い捨て可能な容器に関する。
【０００２】
本発明は、使用済みティッシュを廃棄するために主に開発されたものであり、本発明については、これ以降、本出願を参照して記載される。しかし、当然ながら、本発明は、そうした特定の利用分野に限定されない。
【背景技術】
【０００３】
風邪ウイルスやインフルエンザウイルスは、社会にとって心配の種であり、ウイルスの蔓延を防止することは、公衆衛生上望ましい。使用済みティッシュの廃棄は、衛生問題である。現在、唯一の解決策は、すぐにティッシュをゴミ箱に捨てることである。しかしながら、これはいつも可能であるというわけではない。そのため、ティッシュを使用した者は、自分のポケットやハンドバッグに使用済みティッシュを保管することが多く、これは望ましくない。或いは、使用者の中には、使用済みティッシュをゴミとして捨て去る者もいる。
【０００４】
本発明は、少なくとも先行技術の欠陥の一部を解決する、又は大幅に改善しようとする、或いは少なくとも代替手段を提供しようとするものである。
【０００５】
当然のことながら、如何なる先行技術情報が本明細書において言及されようと、かかる言及は、その情報が、オーストラリア又は他のどの国においても、当該技術分野で一般的な常識の一部であることを認めるものではない。
【発明の概要】
【０００６】
第１態様によれば、容器内空間を有する本体及び開口部を備える容器であり、開口部は、略閉鎖形態に付勢され、容器の少なくとも対向する部分は、容器内空間の容量を最小化するために、互いに向けて弾性付勢される容器であって、使用者が、使用時に、容器の少なくとも一部を一時的に変形させて、開口部を通して、少なくとも１つのアイテムを容器空間内に挿入でき、容器の少なくとも対向する部分を弾性付勢することで、使用時に、容器空間に受容される少なくとも１つのアイテムに対して圧縮力を印加できる容器が、提供される。
【０００７】
好適には、容器は、使い捨て可能である。
【０００８】
好適には、開口部は、略密閉形態に付勢される。
【０００９】
好適には、容器の少なくとも対向する部分は、弾性材料から作製される。有利には、容器は、使用済みティッシュ又は他のゴミを、使用者のポケット又はバッグに保管するために使用されることができる。
【００１０】
好適には、本体の上記一部は、開口部に隣接する。
【００１１】
好適には、開口部は、本体に形成されるスリットを備える。
【００１２】
有利には、これにより、単純だが、効果的な開口部を提供する。
【００１３】
好適には、本体は、少なくとも１枚のパネルを備え、開口部は、本体の１枚のパネルに沿って形成される。
【００１４】
或いは、本体は、少なくとも１縁部を備え、開口部は、本体の縁部に隣接して形成される。
【００１５】
好適には、本体は、容器空間が拡張可能に構成される。
【００１６】
有利には、容器は、最小の初期サイズで開始し、アイテムが挿入された分だけ容積が増加する。
【００１７】
好適には、本体の１枚のパネルは、開口部周りに全体的に扁平な形態を維持するように構成される。
【００１８】
有利には、これにより、開口部の全体的な形態を維持し、従って、使用者は、容器内のアイテム量とは無関係に、略同じ方法で、アイテムを開口部に挿入できる。
【００１９】
好適には、本体の第２部分は、伸縮可能な材料及び／又は拡張可能な材料から作製される。
【００２０】
有利には、これにより、容器空間が拡張可能となる。
【００２１】
好適には、本体の第２部分は、弾性材料から作製される。
【００２２】
有利には、これにより、容器空間が、容器の内容物に対して圧縮作用を与えることができる。
【００２３】
好適には、容器は、開口部を閉鎖するためのフラップを更に備える。
【００２４】
有利には、これにより、衛生性を向上させるために更に容器を密閉する。
【００２５】
好適には、開口部は、開口部を通常閉鎖形態にするために、互いに略隣接する縁部を備える。
【００２６】
好適には、開口部は、使用時に、開口部の縁部の少なくとも中間部分を離間させて、一時的に拡張される。
【００２７】
有利には、開口部は、アイテムを挿入中にのみ開口する。
【００２８】
好適には、本体は、全体的に円盤形状である。
【００２９】
有利には、容器は、全く角部を含まず、それにより使用者が、自分のポケット又はハンドバッグに都合よく容器を保管できる。
【００３０】
好適には、本体は、略扁平である。
【００３１】
有利には、これらにより、容器が、使用者のポケット又はバッグに容易に保管可能になる。
【００３２】
好適には、本体は、第１パネル及び第２パネルを備え、両パネルは、該パネル間で容器空間を画定するよう、該パネルの略周縁部周りで互いに結合される。
【００３３】
好適には、開口部は、第１パネルを横断して延在する。
【００３４】
好適には、第１パネルの少なくとも一部は、開口部を一時的に拡張するために、変形可能又は湾曲可能である。
【００３５】
好適には、第２パネルは、伸縮可能な材料及び／又は拡張可能な材料から作製される。
【００３６】
有利には、これにより、容器空間が拡張可能になる。
【００３７】
好適には、第２パネルは、弾性材料から作製される。
【００３８】
有利には、これにより、容器空間が、容器の内容物に対して圧縮作用を与えることができる。
【００３９】
好適には、第１パネル及び／又は第２パネルは、開口部を閉鎖するために、開口部の上に折り曲げられるカバーフラップを備える。
【００４０】
好適には、第１パネルは、全体的に扁平な形態を維持する。
【００４１】
有利には、これにより、開口部が、容器内のアイテム数に関係なく、略同じ方法で、アクセス可能になる。
【００４２】
一実施形態では、第１パネルと第２パネルは、略剛性であり、伸縮可能な周辺材料によって接合される。
【００４３】
有利には、これにより、側部パネルを、使用時に全体的に扁平に維持する。
【００４４】
好適には、周辺材料は、弾性材料である。
【００４５】
有利には、これにより、圧縮作用を容器の内容物に対して提供する。
【００４６】
一実施形態では、周辺材料は、第１パネル及び第２パネルと一体的に形成される。
【００４７】
或いは、周辺材料は、第１パネル及び第２パネルに取り付けられる別の片体である。
【００４８】
好適には、容器は、易生物分解性材料から作製される。
【００４９】
有利には、これにより、容器を、該容器の内容物と共に責任ある方法で廃棄可能になる。
【００５０】
好適には、容器は、易生物分解性プラスチック材料から作製される。
【００５１】
好適には、容器は、不透液性材料から作製される。
【００５２】
有利には、容器の濡れた内容物が、使用時に、使用者の衣服又は他の表面を汚さなくなる。
【００５３】
好適には、容器は、抗菌性材料から作製される。
【００５４】
有利には、これにより、容器の衛生的品質が向上する。
【００５５】
好適には、容器は、１個の一体化した材料片から作製される。
【００５６】
好適には、容器は、容器空間内に配置されるライナを更に備える。
【００５７】
好適には、ライナは、略剛性である。
【００５８】
有利には、ライナは、容器の形状を維持でき、本体が、より薄い材料から作製されることができる。
【００５９】
好適には、ライナは、略円盤形状である。
【００６０】
有利には、ライナは、全く角部を含まず、それによりライナが本体に孔を開ける危険性を抑えられる。従って、本体は、極めて薄くて軽い材料から作製されることができる。
【００６１】
好適には、ライナは、本体開口部と位置合わせされた孔を備える。
【００６２】
好適には、ライナは、再生材料又は易生物分解性材料から作製される。
【００６３】
有利には、これにより、ライナを有する満杯の容器が、責任ある方法で廃棄可能になる。
【００６４】
好適には、 ライナは、容器空間を選択的に拡張するように構成される。
【００６５】
好適には、ライナは、２つの側部及び少なくとも２つの底部を備え、少なくとも２つの底部は、容器空間を選択的に拡張するために、側部に対して折り曲げられる。
【００６６】
有利には、これにより、より大きな又はより多くのアイテムを収容するために、容器空間を拡張する効果的な手段を提供する。
【００６７】
好適には、２つの側部及び少なくとも２つの底部は其々、一形態では、互いに略平行で対向する。
【００６８】
有利には、ライナは、最初、容器が空であるときには、扁平である。
【００６９】
好適には、少なくとも１本の折目線で、少なくとも２つの底部を結合する。
【００７０】
好適には、少なくとも１本の折目線で、各側部を底部の少なくとも１つに結合する。
【００７１】
好適には、開口部に隣接するライナの縁部は、互いにずらされる。
【００７２】
有利には、これより、容器空間へのアクセスを容易にできる。
【００７３】
或いは、開口部に隣接する片方の側部の１辺は、切欠きを備え、容器は、対応する切欠きを備える。
【００７４】
有利には、これにより、容器空間への別のアクセスが可能になる。
【００７５】
好適には、容器は、容器空間内に収納されたアイテムを略圧縮するように構成される。
【００７６】
有利には、満杯になっても、容器が占める空間は、最小となる。圧縮することで、廃棄されるアイテムを、使用者がゴミ箱まで持ち歩く間、より小さな状態にできる。
【００７７】
一実施形態では、第２パネルは巻管であり、容器空間は、巻管を徐々に広げることで拡張可能である。
【００７８】
この実施形態では、第１パネルは、巻管の巻周縁部が収容される湾曲された端縁部を含む。
【００７９】
別の実施形態では、本体及びライナを備え、本体が、ベースパネル、該ベースパネルから延在する側壁、及び中心孔を画定する側壁から内方に延在する内周フランジを備え、ライナは、中心孔を横断して延在し、開口部を画定する上側のメインパネル、及び該メインパネルの周縁部から下方に延在する側壁を備え、本体は、弾性材料から作製され、ライナは、本体の形状を維持する。
【００８０】
好適には、開口部は、十字形であり、十字の各点でのスリット部分を備える。
【００８１】
好適には、ベースパネルは、伸縮可能又は拡張可能である。
【００８２】
別の実施形態では、本体は、ベースパネル、該ベースパネルから延在する側壁、及び開口部を画定する側壁から内方に延在する内周フランジを備え、側壁は、使用時に拡張可能となるように蛇腹形状をしており、圧縮形状に弾性付勢される。
【００８３】
別の実施形態では、本体は、ベースパネル、該ベースパネルから延在する側壁、及び開口部を画定する側壁から内方に延在する内周フランジを備え、ベースパネルは、使用時に拡張可能になるように、一連の同心状襞を備え、該襞が折り畳まれた形態に弾性付勢される。
【００８４】
好適には、本体の形状を維持するために、側壁の上周縁部間に延在するパネル体を更に備える。
【００８５】
好適には、パネル体は、中心孔を備え、該中心孔には、該孔を横断して延在するライナを有し、ライナは、中心孔を横断して延在するスリット開口部を有する。
【００８６】
別の実施形態では、容器は、本体及び支持部材を備え、本体は、下縁部と側縁部に沿って接合される第１パネル及び第２パネルを備え、支持部材は、第１パネル及び第２パネルの上部を其々被覆する第１部分及び第２部分を形成するために、中央の折り目に沿って折り曲げられるパネル体を備え、第１部分及び第２部分其々は、本体の開口部内に折り曲げられる上フランジを備える。
【００８７】
別の実施形態では、容器は、本体及び支持部材を備え、本体は、底部パネルによって下縁部に沿って、及び全体的に三角形の側部パネルによって側縁部に沿って接合される第１パネル及び第２パネルを備え、支持部材は、第１パネル及び第２パネルの其々に取り付けられる剛性又は半剛性のパネルを備え、容器は、第１パネルと第２パネルが互いに隣接するコンパクトな形態になるように、弾性付勢され、容器は、第１パネルと第２パネルの下端部が、互いに離隔して、その結果底部パネルと側部パネルを広げて、拡張されることができる。
【００８８】
別の実施形態では、本体は、下縁部と側縁部に沿って接合される第１パネル及び第２パネルを備え、第１パネルと第２パネルの上縁部は、本体の開口部を画定し、上縁部は、全体的にＵ字型をしており、第１パネル及び第２パネルの上部で取っ手を形成し、取っ手は、容器開口部を閉鎖するために、互いに結ばれることができる。
【００８９】
別の実施形態では、本体は、剛性又は半剛性挿入体及び可撓性カバーを備え、挿入体は、折り曲げられ、自由端を含み、該自由端間で開口部を画定し、カバーは、挿入体の外面を被覆し、挿入体は、該挿入体を全体的に三角形状にするための更なる折り目を備える。
【００９０】
好適には、折り目は、容器が、所望に応じて、拡張形態のままに保たれ、且つ折り目が作動されると、折り曲げ形態に復帰するように構成される。
【００９１】
別の実施形態では、本体は、閉鎖下部、及びスリット開口部を含む上部を有する全体的に扁平で、丸い豆果形をしており、開口部の両側に配置された本体の側縁部を互いに向けて絞ることによって、本体を変形し、開口部を拡大する。
【００９２】
好適には、本体は、全体的に、縁部に沿って接合される２個の半体を備える。
【００９３】
また、本発明は、容器内空間、及び閉鎖形態に付勢される開口部を有する容器内に少なくとも１つのアイテムを廃棄する方法であって、該方法は、少なくとも１つのアイテムを、容器空間に、開口部を通じて、容器の少なくとも一部を一時的に変形させて、挿入することを備え、容器は、容器空間を最小化するために、弾性付勢され、使用時に、該空間の内容物に対して圧縮力を印加する、方法も提供する。
【００９４】
また、本発明は、上記の容器を取着させる、拭き取り繊維（ｗｉｐｅ）ディスペンサも提供する。
【００９５】
好適には、容器は、拭き取り繊維ディスペンサに取り外し可能に取り付けられる。
【００９６】
好適には、拭き取り繊維ディスペンサは、ティッシュディスペンサである。
【００９７】
また、本発明の他の態様も開示される。
【００９８】
他の形も本発明の範囲に入るかも知れないが、以下では、本発明の好適実施形態について、ほんの一例として、添付図を参照して、説明する。
【図面の簡単な説明】
【００９９】
【図１】本発明の好適実施形態による容器の斜視図である。
【図２】図１の容器の変形実施形態のためのライナの斜視図である。
【図３】容器の別の実施形態による容器のための、広げたライナの正面図である。
【図４】折り曲げ形態における図３のライナの斜視図である。
【図５】カバー及び図３のライナを有する本発明の別の好適実施形態による容器の斜視図である。
【図６】図５の容器の変形実施形態の斜視図である。
【図７】図５の容器の別の変形実施形態の斜視図である。
【図８】本発明の別の好適実施形態による３容器の斜視図である。
【図９】図８の容器の１個を、（ａ）は平面図、（ｂ）は斜視図、（ｃ）は分解斜視図、（ｄ）は第１側面図、（ｅ）は第２側面図で示している。
【図１０】本発明の別の好適実施形態による３容器の斜視図である。
【図１１】図１０の容器の１個を、（ａ）は平面図、（ｂ）は斜視図、（ｃ）は側面図で示している。
【図１２】本発明の別の好適実施形態による容器を、（ａ）は上面斜視図、（ｂ）は底面斜視図で示している。
【図１３】図１２の容器の１個を、（ａ）は平面図、（ｂ）は斜視図、（ｃ）は側面図、（ｄ）はＡ−Ａ線に沿った断面図で示している。
【図１４】ティッシュボックス、及び本発明の別の好適実施形態による容器の斜視図である。
【図１５】図１４の容器を、（ａ）は平面図、（ｂ）は正面図、（ｃ）は側面図、（ｄ）は斜視図で示している。
【図１６】ティッシュボックス、及び本発明の別の好適実施形態による容器の斜視図である。
【図１７】図１６の容器を、コンパクトな形態にして、（ａ）は平面図、（ｂ）は正面図、（ｃ）は側面図、また、拡張形態にして（ｄ）は平面図、（ｅ）は正面図、（ｆ）は側面図で示している。
【図１８】ティッシュボックス、及び本発明の別の好適実施形態による容器の斜視図である。
【図１９】図１８の容器を、（ａ）は平面図、（ｂ）は正面図、（ｃ）は側面図、（ｄ）は斜視図で示している。
【図２０】ティッシュボックス、及び本発明の別の好適実施形態による容器の斜視図である。
【図２１】図２０の容器を、（ａ）は平面図、（ｂ）は正面図、（ｃ）はＢ−Ｂ線に沿った断面図、拡張形態のときに（ｄ）はＢ−Ｂ線に沿った断面図で示している。
【図２２】本発明の別の好適実施形態による３容器の斜視図である。
【図２３】図２２の容器の１個を、（ａ）は平面図、（ｂ）は斜視図、（ｃ）は端面図、（ｄ）は側面図、（ｅ）はＡ−Ａ線に沿った断面図で示している。
【図２４】本発明の別の好適実施形態による４容器の斜視図であり、該容器の１個が、開口形態で示されている。
【図２５】図２４の容器の１個を、（ａ）は平面図、（ｂ）は斜視図、（ｃ）は端面図、（ｄ）は側面図、（ｅ）はＡ−Ａ線に沿った断面図で示している。
【図２６】本発明の別の好適実施形態による２容器の斜視図である。
【図２７】図２６の容器の１個を、（ａ）は平面図、（ｂ）は斜視図、（ｃ）は端面図、（ｄ）は側面図で示している。
【発明を実施するための形態】
【０１００】
以下の説明では、異なる実施形態における同様又は同一の参照番号は、同一又は同様の特徴を表すことに注意されたい。
【０１０１】
図１は、本発明の第１好適実施形態による容器１０を示している。容器１０は、全体的に扁平な円盤形状をしており、第１円形パネル１２及び第２円形パネル１３を有する本体１１を含む。第１円形パネル１２と第２円形パネル１３は、容器内空間１８を画定するように、周縁部の周りで互いに結合される。
【０１０２】
本体１１は、径方向に第１パネル１２を横断して延在するスリット開口部１４を含む。スリット開口部１４は、縁部１５が互いに隣接していることによって、閉鎖形態（好適には、略密閉形態）に付勢される。第１円形パネル１２及び第２円形パネル１３は、容器１０の全体的な形状を維持するが、第１円形パネル１２の少なくとも一部は、使用者がアイテムを、一時的にスリット開口部１４を拡張して、容器空間１８に挿入できるように、曲折又は変形可能である材料から作製される。従って、使用者は、自分の指を使い、強制的にティッシュをスリット開口部１４を通して、使用済みティッシュを容器空間１８に挿入できる。この拡張は、縁部１５の少なくとも中間部分同士が離間する、あらゆる縁部１５間の相対運動を意味する。例えば、縁部１５の中間部分が、横方向に離間できたり、片方の縁部１５が、第２円形パネル１３から離隔でき、他方の縁部１５が、第２円形パネル１３に向かい移動したり、或いは縁部１５の両中間部分が、全体的に、第２円形パネル１３に向かい一時的に内側に曲折されることができたりする。挿入後、スリット開口部１４は、閉鎖状態に戻る。
【０１０３】
第２パネル１３は、伸縮可能な及び／又は拡張可能な材料から作製され、アイテムが容器空間１８内に収納される際に伸縮／拡張する。この実施例では、第２パネル１３は、使用済みティッシュを容器空間１８内に収容するために、伸縮する。更に使用済みティッシュが容器空間１８に挿入される際には、第２パネル１３は、略凹形に伸縮する一方で、第１パネル１２は、略扁平な形態を維持する。また、第２パネル１３は、弾性材であり、そのため、容器空間１８内の使用済みティッシュを、第１パネル１２に抗して、略圧縮できる。従って、廃棄されたティッシュは、使用者がゴミ箱まで持ち歩く間、より小さな状態となる。
【０１０４】
従って、本体１１の対向するパネル部分１２，１３は、互いに向けて弾性付勢され、そのために、容器内空間１８の容積を、特に容器１０が空のときに、最小にできる。容器が最小形状を保持するよう弾性付勢されることの一利点は、廃棄容器を持ち運ぶ不便さを少なくできる点にある。また、本体１１の対向するパネル部分１２，１３の弾性付勢は、好適実施形態ではティッシュとする、容器空間に受容されるアイテムに対して、使用時に圧縮力も印加する。
【０１０５】
容器１０は、好適には生物分解性ラテックスとする、生物分解性プラスチック材料等の易生物分解性材料で作製される。該材料は、不透液性で、且つ好適には抗菌性である。容器１０は、折り畳んだ３枚又は４枚の使用済みティッシュを圧縮した衛生的な状態で、満杯の容器１０がゴミ箱に廃棄されるまで、保持できる大きさにする。
【０１０６】
従って、本発明は、使用済みティッシュに適する使い捨て可能な容器を提供する。容器は、有利には、ゴミ箱が使用できない場合や、使用直後にティッシュを廃棄するのに移動するのが適切でない場合に、使用できる。この容器は、特に、公共交通機関、会議、映画館又はクラス講義中に、有用である。
【０１０７】
容器は、使用済みティッシュを、満杯になった容器をゴミ箱に廃棄可能になるまで保管するために、衛生的で見た目にも許容可能な方法を提供する。この実施形態の容器は、リング形状で、空のときには略扁平で、使用者のポケット又はハンドバッグに入れて使用するのに適するようになっている。
【０１０８】
この実施形態の容器の直径は、６又は７センチメートルである。しかしながら、容器は、所望に応じてあらゆる形状又は寸法でも作製されることができる。例えば、容器は、より多くのティッシュを保管するように、より大きいサイズで作製されることができる。より大きいバージョンは、車又は飛行機での使用に適している。ホテル、病院及び飛行機等の公共の場では、容器は、その場に居る他の人々、及び清掃スタッフを含むスタッフを保護するために、当該領域の管理者によって、消費者に提供されてもよい。
【０１０９】
容器は、易生物分解性に設計されており、従って使い捨て可能である。しかしながら、所望であれば、使用者が容器を再使用可能な材料から作製されることもできる。
【０１１０】
容器は、小さなポケットサイズのティッシュ容器に、又は任意のサイズ又は機能の、濡れた拭き取り繊維を含む拭き取り繊維容器（ｗｉｐｅｓ  ｃｏｎｔａｉｎｅｒ）に、恒常的又は着脱可能に取り付けられることができる。
【０１１１】
また、容器は、第１パネル及び第２パネルに印刷された、装飾又は広告等の装飾又は印を含むこともできる。理想的には、１個又は複数の容器は、メーカによって販売される際に、ティッシュパックと共に提供される。別の実施形態では、容器は、ティッシュディスペンサの閉鎖側に取り付けられることができる。
【０１１２】
図１の実施形態では、第１パネル１２は、使用中に略扁平な状態のままであり、一方で第２パネル１３は、全体的に凹形状に伸張する。一実施形態では、例えば、第１パネルは、その扁平な形状を略維持するが、使用者が開口部１４を通してアイテムを挿入可能にするのに、十分な厚み又は剛性を有する一方で、第２パネルは、該パネルが容器空間内により多くのアイテムを収納できるように伸縮又は拡張できる、より厚い伸縮可能／拡張可能な材料から作製される。第１パネル１２と第２パネル１３は、１個の一体化した片体として、又は２個以上の片体が互いに取着されて、作製されることができる。
【０１１３】
別の実施形態では、第１パネル１２と第２パネル１３の両方は、略剛性であり、第１パネルと第２パネルの周縁部間に延在する伸縮可能な周縁材で接合される。この実施形態では、第１パネル１２と第２パネル１３は、使用時に、全体的に扁平な形状を維持し、容器空間の拡張が、周縁材によって提供される。従って、この実施形態の容器は、全体的に扁平面のパネルを維持する。好適には、周縁材は、対向する第１パネルと第２パネルが、互いに向けて弾性付勢されて、容器の内容物に圧縮作用を提供するように、弾性材料から作製される。周縁材は、第１パネルと第２パネルと一体化されて形成されることができる、又は第１パネルと第２パネルに取り付けられる別の片体とすることができる。
【０１１４】
図２は、図１の容器１０の変形実施形態のためのライナ２０を示している。ライナ２０は、中心孔２２を有する扁平な円盤２１を含む。この実施形態では、中心孔２２は、六角形をしている。この変形実施形態では、第１パネル１２及び第２パネル１３は、薄い可撓性の伸縮可能な材料から作製され、ライナ２０が、容器空間１８内で、第１パネル１２と第２パネル１３との間に受容されている。従って、ライナ２０は、開口部１４がライナ２０の孔２２と位置合わせされた状態で、所望される円盤状の容器形状を維持する。従って、使用者は、アイテムを、位置合わせされた開口部１４と孔２２を通して容器空間１８に挿入できる。この実施形態の容器空間１８は、基本的に互いに向けて弾性付勢されるライナ２０と第２パネル１３との間で、全体的に画定される。
【０１１５】
ライナ２０は、段ボール等の再生材料又は易生物分解性材料から作製される。従って、この実施形態では、容器１０は、より薄くできる第１パネル１２及び第２パネル１３を有することができる。第１パネル１２と第２パネル１３は、１個の一体化された片体として作製されることができる。
【０１１６】
図３は、別の実施形態の容器のためのライナ３０を示している。ライナ３０は、短辺３２と長辺３３を有する略矩形の扁平な部材３１である。ライナ３０は、長辺３３間に延在し、短辺３２間の略中間に位置する主折目線３４を含む。また、ライナ３０は、主折目線３４に略平行で、該主折目線３４の両側に位置する２本の副折目線３５も含む。副折目線３５は、主折目線３４から略等しく離間されている。
【０１１７】
主折目線３４及び副折目線３５は、短辺３２と副折目線３５との間に其々延在するライナ３０の側部３６、及び副折目線３５と主折目線３４との間に其々延在する底部３７を画定する。
【０１１８】
図４は、最初の折り曲げ形態のライナ３０を示しており、ライナ３０は、側部３６と底部３７が略平行に、隣接して互いに対面するように、主折目線３４に沿って折り曲げられている。短辺３２は、略一致されている、又は短辺３２は、もう一方の短辺３２から若干ずらされることもある。
【０１１９】
図５は、容器４０を形成するための、容器本体４１の容器内空間５１内に受容されるライナ３０を（点線で）示している。容器本体４１は、弾性材料から作製され、第１パネル４２と第２パネル４３を含み、該パネルは、其々ライナ３０の長辺３３と隣接する側縁部４４、及び主折目線３４と隣接する下縁部４５に沿って、互いに結合される。従って、容器本体４１は、該本体４１の対向する底部３７と側部３６を互いに向けて弾性付勢する。
【０１２０】
第１パネル４２と第２パネル４３の上縁部４６は、互いに接合されず、容器４０の開口部４７を形成する。容器１０と同様に、容器４０の開口部４７は、閉鎖、好適には、略密閉形態に付勢される。従って、開口部４７は、容器１０と同様に、全体的にスリットとして形成される。
【０１２１】
使用者がアイテムを容器空間に挿入可能にするために、第１パネル４２と第２パネル４３の上縁部４６は、ライナ３０のずらした短辺３２に対応して、互いに若干ずらされる。その結果、使用者は、縁部３２及び縁部４６の片方を押圧して、アイテムを容器空間に挿入できる。
【０１２２】
また、使用者は、テーブル等の表面に対して下縁部４５を押圧し、それにより側部３６に対して底部３７を折り曲げられる。底部３７は、該表面に向けて折り曲げられ、それにより容器内空間５１を効果的に拡張する。この実施形態の底部３７は、扁平な容器底部を形成するために、該表面に対して扁平となるように折り曲げられる。その後、容器４０は、該表面から持ち上げられ、その際にライナ３０が、容器本体４１によって略偏平形態に略復帰され、それにより容器空間の内容物を圧縮する。対向する底部３７と側部３６を弾性付勢することで、容器空間に受容された内容物に対して圧縮力を印加する。
【０１２３】
容器４０は、使用済みの生理用ナプキン、おむつ等のより大きなアイテムを廃棄するのに、又はより多数の使用済みティッシュを廃棄するのに使用されることができる。
【０１２４】
図６は、容器４０の変形例である容器４０ａを示している。容器４０ａは、容器本体４１の上縁部４６及び片方の側部３６の短辺３２が、アイテムを容器空間に挿入し易くする半円形の切欠き４８ａを含む点を除き、容器４０と略同じである。この実施形態では、第１パネル４２と第２パネル４３の各上縁部４６、及び側部３６の短辺３２同士は、一致させることができる。
【０１２５】
図７は、容器４０の別の変形例である容器４０ｂを示している。容器４０ｂは、第２パネル４３が、容器空間の内容物を更に衛生的に密封するために、開口部４７を閉鎖するよう開口部４７の上に折り曲げられる蓋フラップ４９ｂを含む点を除き、容器４０と略同じである。
【０１２６】
当然ながら、上記実施形態に対して変形例が作製されることもできる。例えば、容器は、所望に応じて、如何なる形状及び寸法でも作製されることができる。また、容器は、通常のゴミ用ゴミ箱として使用されてもよい。従って、交通機関に乗車中の使用者は、必要に応じて、食品包装、果物の芯又は剥いた皮及び如何なるゴミを収容するために、この容器を使用できる。
【０１２７】
考えられる一実施形態では、第２パネルは、巻管であり、容器空間は、巻管を徐々に広げることで、拡張可能である。この実施形態の第１パネルは、開口部、及び巻管の巻周縁部が収容される円弧状に湾曲された端縁部を含む。アイテムが挿入されると、巻管は、その都度、若干広がる。第１パネルは、剛性又は半剛性材料から作製されると共に、巻管の第２パネルは、可撓性及び／又は弾性材料から作製される。
【０１２８】
図８及び図９は、本発明による別の実施形態の容器８０を示している。容器８０は、本体８２とライナ９０を含む。本体８２は、弾性ラテックス材料から作製され、ベースパネル８３、該ベースパネル８３の周縁部から延在する側壁８４、及び側壁８４の上周縁部から内方に延在する内周フランジ８５を含む。内周フランジ８５は、ベースパネル８３、側壁８４及び内フランジ８５間で画定される内部空間８７へのアクセスを提供する中心孔８６を画定する。
【０１２９】
ライナ９０は、上側のメインパネル９３、該メインパネル９３の周縁部から延在する側壁９４、及び側壁９４の下縁部から内方に延在する内フランジ９５を含む。メインパネル９３は、十字の各点でのスリット部分９７を含む、中央の十字形開口部９６を備える。ライナ９０は、本体８２の内部空間８７内に配置され、本体８２の形状を維持する。ライナ９０は、再生可能プラスチック又は段ボール等の剛性又は半剛性材料から作製される。開口部９６は、アイテムを内部空間８７に挿入するために、必要に応じて、スリット部分９７が一時的に変形して、内部空間８７へのアクセスを提供する。ベースパネル８３は、伸縮可能又は拡張可能に構成されることができる。
【０１３０】
好適実施形態の開口部９６は、図示されたものより小さく、略閉鎖又は密閉形態に付勢される。この実施形態では、容器８０の少なくとも対向する部分である、ベースパネル８３とメインパネル９３は、容器内空間の容量を最小化するために、互いに向けて弾性付勢される。対向するベースパネル８３とメインパネル９３を弾性付勢することで、使用時に、内部空間８７に受容されるアイテムに対して圧縮力を印加できる。 
【０１３１】
図１０及び図１１は、本発明による別の実施形態の容器１００を示している。容器１００は、弾性バルーン状のラテックス材料から作製された本体１０２を備え、ベースパネル１０３、該ベースパネル１０３の周縁部から延在する蛇腹形状の側壁１０４、及び側壁１０４の上周縁部から内方に延在する上内フランジ１０５を備える。上内フランジ１０５は、中心孔１０６を画定し、該中心孔は、ベースパネル１０３、側壁１０４、内フランジ１０５の間で画定される内部空間１０７へのアクセスを提供する。側壁１０４は、使用時に、拡張可能で、内部空間１０７の容量を増大させられる。
【０１３２】
好適実施形態の開口部１０６は、図示されたものより小さく、略閉鎖又は密閉形態に付勢されている。例えば、開口部１０６は、弾性フラップ又は重合部材を含むことができる。この実施形態では、容器１００の少なくとも対向する部分である、ベースパネル１０３と上フランジ１０５は、容器内空間の容量を最小化するために、互いに向けて弾性付勢される。側壁１０４は、圧縮形態になるよう付勢される。対向するベースパネル１０３と上フランジ１０５を弾性付勢することで、使用時に、内部空間１０７に受容されるアイテムに対して圧縮力を印加できる。 
【０１３３】
図１２及び図１３は、本発明による別の実施形態の容器１２０を示している。容器１２０は、本体１２２、支持パネル１３０、及びライナ１３５を備える。本体１２２は、弾性ラテックス材料から作製され、ベースパネル１２３、該ベースパネル１２３の周縁部から延在する側壁１２４、及び側壁１２４の上周縁部から内方に延在する内周フランジ１２５を備える。内周フランジ１２５は、中心孔１２６を画定する。
【０１３４】
ベースパネル１２３は、中心部１２８に中心を置く一連の同心状襞１２７を備え、それにより、ベースパネル１２３が使用時に効果的に拡張できるようにしている。
【０１３５】
支持パネル１３０は、中心孔１３２を有する矩形の剛性パネル体１３１を備える。支持パネル１３０は、本体１２２の形状を維持するために、側壁１２４の上周縁部間に延在する。
【０１３６】
ライナ１３５は、支持パネル１３０の孔１３２を横断して延在するスリット開口部１３７を有する半可撓体１３６を備える。使用時に、アイテムは、スリット開口部１３７を通じて挿入され、それによりベースパネル１２３が拡張して、容器１２０の内部空間１２９を拡張する。
【０１３７】
この実施形態では、容器１２０の少なくとも対向する部分である、ベースパネル１２３と、支持パネル１３０とライナ１３５との組合せは、容器内空間の容量を最小化するために、互いに向けて弾性付勢される。ベースパネル１２３は、圧縮され折り曲げられた形態になるよう付勢される。
【０１３８】
図１４は、ティッシュボックス３００、及び本発明の別の実施形態による容器１４０を示している。容器１４０は、ティッシュボックス３００の、側壁又は底壁等１枚の壁３０２に恒常的に又は取り外し可能に取り付けられる。
【０１３９】
図１５に示されているように、容器１４０は、本体１４２と支持部材１５０を備える。本体１４２は、弾性ラテックス材料から作製されており、下縁部１４５及び側縁部１４６に沿って接合される第１パネル１４３と第２パネル１４４を備える。パネル１４３及び１４４の上縁部１４７は、互いに接合されておらず、内部空間１４９にアクセスするための本体１４２の開口部１４８を画定する。
【０１４０】
支持部材１５０は、第１部分１５３及び第２部分１５４を形成するために、中央の折り目１５２に沿って折り曲げられるパネル体１５１を備える。中央の折り目１５２は、本体１４２の片方の側縁部に沿って配置される。第１部分１５３及び第２部分１５４は、其々第１パネル１４３及び第２パネル１４４の上部を其々被覆する。第１部分１５３及び第２部分１５４の其々は、折目線１５７に沿って本体１４２の開口部１４７に折り曲げられる上フランジ１５６を含む。従って、上フランジ１５６は、本体１４２の上縁部１４７に亘り延在し、内部空間１４８に対する入口部分を形成する。この実施形態では、容器１４０は、第２部分１５４を介してティッシュボックス３００に取り付けることができる。容器１４０がティッシュボックス３００に取り外し可能に取り付けられる場合、容器１４０は、ティッシュボックス３００から取り外しでき、ティッシュボックス３００から独立して使用され、廃棄されることができる。
【０１４１】
この実施形態では、容器１４０の少なくとも対向する部分である、第１パネル１４３と第２パネル１４４は、容器内空間１４９の容量を最小化するために、互いに向けて弾性付勢され、従って使用時に該空間の内容物に対して圧縮力を印加する。
【０１４２】
図１６は、ティッシュボックス３００、及び本発明の別の実施形態による容器１６０を示している。容器１６０もまた、ティッシュボックス３００の、側壁又は底壁等１枚の壁３０２に恒常的に又は取り外し可能に取り付けられる。
【０１４３】
容器１６０は、本体１６２と支持部材１７１及び１７２を備える。本体１６２は、弾性ラテックス材料から作製されており、第１パネル１６３と第２パネル１６４を備え、第１パネル１６３と第２パネル１６４は、底部パネル１６５によって下縁部に沿って、及び全体的に三角形の側部パネル１６６によって側縁部に沿って、互いに接合される。パネル１６３及び１６４の上縁部１６７は、互いに接合されておらず、内部空間１６９にアクセスするための本体１４２の開口部１６８を画定する。
【０１４４】
側部パネル１６６を三角形にして、該パネルを折り曲げ可能とし、底部パネル１６５も折り曲げ可能としているが、側部パネル１６６及び底部パネル１６５は、弾性で、対向するパネル１６３と１６４を互いに向けて付勢させる。この実施形態の支持部材１７１及び１７２は、其々パネル１６３及び１６４の一方に取り付けられる同じ大きさの剛性又は半剛性パネルを備える。支持部材１７１及び１７２は、段ボール材料から作製されることができる。
【０１４５】
従って、容器１６０は、パネル１６３とパネル１６４が互いに隣接するコンパクトな形態になるように、弾性付勢され、容器は、パネル１６３とパネル１６４の下端部が、互いに離隔して、その結果、底部パネル１６５と側部パネル１６６を広げて、内部空間１６９を拡張して、拡張できる。パネル１６３とパネル１６４が互いに向けて付勢されることで、内部空間１６９の内容物に対して圧縮力を印加する。
【０１４６】
容器１６０がティッシュボックス３００から取り外された場合、容器１６０は、ティッシュボックス３００とは独立して、使用され、廃棄されることができる。
【０１４７】
図１８は、ティッシュボックス３００、及び本発明の別の実施形態による容器１８０を示している。容器１８０もまた、ティッシュボックス３００の、側壁又は底壁等１枚の壁３０２に取り付けられる又は取り付け可能である。
【０１４８】
容器１８０は、弾性ラテックス材料から作製される本体１８２を備えており、下縁部１８５及び側縁部１８６に沿って接合される第１パネル１８３と第２パネル１８４を備える。パネル１８３及び１８４の上縁部１８７は、互いに接合されておらず、内部空間１８９にアクセスするための本体１８２の開口部１８８を画定する。この実施形態の上縁部１８７は、全体的にＵ字型をしており、側縁部１８６の上部で取っ手１９１を形成している。取っ手１９１は、互いに結んで、廃棄前に容器開口部１８８を閉鎖するために、使用されることができる。この実施形態では、容器１８０の少なくとも対向する部分である、第１パネル１８３と第２パネル１８４は、容器内空間の容量を最小化するために、互いに向けて弾性付勢され、その結果使用時に、該空間内の内容物に対して圧縮力を印加する。
【０１４９】
図２０は、ティッシュボックス３００、及び本発明の別の実施形態による容器２００を示している。容器２００は、剛性又は半剛性の挿入体２１０及び弾性の可撓性カバー２２０を備える。この実施形態では、挿入体２１０は、段ボールから作製され、カバー２２０は、弾性ラテックスから作製される。
【０１５０】
挿入体２１０は、短辺２１２及び長辺２１３を有する扁平な全体的に矩形部材である。ライナ２１０は、長辺２１３間に延在し、短辺２１２間の略中間に位置する主折目線２１４を含む。また、挿入体２１０は、主折目線２１４に略平行で、その両側に位置する２本の副折目線２１５も含む。両副折目線２１５は、主折線２１４から略等しく離間する。
【０１５１】
主折線２１４と副折目線２１５は、其々、短辺２１２と副折目線２１５との間に延在する挿入体２１０の側部２１６、及び其々副折目線２１５の１本と主折線２１４との間に延在する底部２１７を画定する。
【０１５２】
図２０（ａ）と図２１（ｃ）は、その最初の折り曲げ形態の挿入体２１０を示しており、該形態では、挿入体２１０は、側部２１６及び底部２１７が其々略平行に、互いに隣接し、対面するように、主折線２１４に沿って折り曲げられている。短辺２１２は、其々、半円形の切欠き２１８を含む。
【０１５３】
カバー２２０は、挿入体２１０の外面を被覆するが、短辺２１２を横断して延在しない。カバー２２０は、第１パネル部分２２２と第２パネル部分２２３を含み、両パネルは、下縁部２２５及び側縁部に沿って、折り曲げられた側部パネル２２４を介して互いに結合される。第１パネル部分２２２と第２パネル部分２２３の上縁部２１６は、互いに接合されておらず、容器２００のスリット開口部２１７を形成する。
【０１５４】
この実施形態では、弾性カバー２２０は、容器２００の対向する部分である、側部２１６と底部２１７を、容器内空間１４９の容量を最小化するために、互いに向けて弾性的に付勢し、その結果使用時に該空間の内容物に対して圧縮力を印加する。
【０１５５】
使用時に、使用者は、ティッシュボックス３００から容器２００を取り外して、テーブル等の表面に対して下縁部２２５を押圧し、それにより底部２１７を側部２１６に対して折り曲げる。底部２１７は、該表面に向けて折り曲げられ、それにより効果的に容器空間２１９を拡張する。この実施形態の底部２１７は、全体的に扁平な容器ベースを形成するために、該表面に対して全体的に扁平になるように、折り曲げられる。側部パネル２２４は、容器２００の拡張形態に拡張させるために、広げられる。その結果、挿入体２１０は、全体的に三角形の形態へと移動される。
【０１５６】
好適には、折り目２１４，２１５は、容器２００が、所望に応じて、表面上で拡張形態を保つように構成され、必要に応じて、容器２００は、その後、該表面から持ち上げられ、折り目２１４，２１５を作動させ、その際に、容器２００が略扁平に折り曲げられた形態に略復帰され、それにより容器空間２１９の内容物を圧縮する。
【０１５７】
図２２及び図２３は、本発明による別の実施形態の容器２２０を示している。容器２２０は、再利用可能に設計され、シリコンゴム材料から作製される、又は使い捨て可能に設計され、弾性ラテックス材料から作製される。
【０１５８】
容器２２０は、閉鎖下部２２３、及びスリット開口部２２５を含む上部２２４を有する全体的に扁平で、丸い豆果形をした本体２２２を備える。本体２２２は、内部空間２２６を画定し、該内部空間２２６には、開口部２２５の両側に配置された側縁部２２７を互いに向けて絞ることによって、アクセスできる。この絞る動作により、本体２２２を変形して、開口部２２５を拡大する。この実施形態では、容器２２０の少なくとも対向する部分である、下部２２３と上部２２４は、容器内空間の容量を最小化するために、互いに向けて弾性付勢され、その結果、使用時に、その内容物に対して圧縮力を印加する。
【０１５９】
図２４及び図２５は、容器２２０と同様な、本発明による別の実施形態の容器２４０を示している。また、容器２４０も、再利用可能に設計され、シリコンゴム材料から作製される、又は使い捨て可能に設計され、弾性ラテックス材料から作製される。
【０１６０】
容器２４０は、閉鎖下部２４３、側壁２４８、上部２４４及びスリット開口部２４５を有する全体的に扁平で、矩形の豆果形をした本体２４２を備える。スリット開口部２４５は、側壁２４８と上部２４４に沿って延在する。本体２４２は、内部空間２４６を画定し、該内部空間２４６には、側縁部２４７を互いに向けて絞ることによって、アクセスできる。本体２４２は、一般に、縁部に沿って接合された２個の半体を備える。この実施形態では、容器２４０の少なくとも対向する部分である、下部２４３と上部２４４は、容器内空間の容量を最小化するために、互いに向けて弾性付勢され、その結果使用時に、該空間の内容物に対して圧縮力を印加する。 
【０１６１】
図２６及び図２７は、容器２２０と同様な、本発明による別の実施形態の容器２６０を示している。また、容器２６０も、再利用可能に設計され、この実施形態は、ネオプレン（ウェットスーツ）材料から作製される、又は使い捨て可能に設計され、弾性ラテックス材料から作製される。
【０１６２】
容器２６０は、閉鎖下部２６３、側壁２６８、上部２６４及びスリット開口部２６５を有する全体的に扁平で、丸い豆果形をした本体２６２を備える。スリット開口部２６５は、側壁２６８と上部２６４に沿って延在する。本体２６２は、内部空間２６６を画定し、該内部空間２６６には、側縁部２６７を互いに向けて絞ることによって、アクセスできる。この実施形態では、容器２６０の少なくとも対向する部分である、下部２６３と上部２６４は、容器内空間の容量を最小化するために、互いに向けて弾性付勢され、その結果使用時に、該空間の内容物に対して、圧縮力を印加する。
【０１６３】
この容器は、任意の大きさで作製されることができ、ポケットサイズのティッシュディスペンサに、取り外し可能に取り付けることができる。
【０１６４】
解釈
実施形態：
本明細書を通して「一実施形態」又は「実施形態」と言及する際には、該実施形態に関して説明した特定の特徴、構造若しくは特性が、本発明の少なくとも一実施形態に含まれていることを意味する。従って、本明細書を通して様々な場所で、「一実施形態では」又は「実施形態では」という句が現れた際には、必ずしも全てが同じ実施形態を指すわけではないが、同じ実施形態を指す場合もある。更に、特定の特徴、構造若しくは特性は、一又は複数の実施形態において、本開示から当業者に明らかなような、任意の適切な方法で組合されてもよい。
【０１６５】
同様に、当然ながら、本発明の例示的な実施形態に関する上記説明では、本発明の様々な特徴は、単一の実施形態、図面若しくはそれらに関する説明において、本開示を簡素化し、様々な発明の態様の１つ又は複数を理解するのを助けるために、一つに纏められることがある。しかしながら、こうした開示の方法により、請求項に係る発明が、各請求項で明示的に列挙した特徴より多くの特徴を必要とするという意図を示すものとは解釈されるべきではない。むしろ、以下の請求項が示すように、本発明の態様は、上記で開示された単一の実施形態に関する全特徴よりも少ない。従って、［発明を実施するための形態］に続く特許請求の範囲は、各請求項が、そのまま本発明の別々な実施形態に基づく形で、この［発明を実施するための形態］に明示的に組込まれる。
【０１６６】
また、本明細書に記載された実施形態の中には、他の実施形態に含まれる一部を含むが、残りの特徴は含まないものもあるが、異なる実施形態の特徴の組合せは、本発明の範囲内であり、異なる実施形態を、当業者によって理解されるように、形成するものとする。例えば、以下の特許請求の範囲では、何れの記載された実施形態も、任意の組合せで使用されることができる。
【０１６７】
物体の異なる実体：
本明細書に使用される場合、他に特に断りがなければ、共通の物体を記述するための、序数詞「第１」、「第２」、「第３」等は、同様な物体の異なる実体（ｉｎｓｔａｎｃｅ）についての呼称を示すに過ぎず、そのように記述された物体が、時間的に、空間的に、序列で、若しくは他の方法で、所定の順序で存在しなければならないことを暗示するよう意図されたものではない。
【０１６８】
具体的な詳細：
本明細書で提供された説明では、多数の特定の詳細が記載されている。しかしながら、本発明の実施形態は、これらの特定の詳細なしに実行されてもよいと理解される。他の例では、公知の方法、構造及び技術については、この説明に関する理解を曖昧にしないために、詳細に示されていない。
【０１６９】
用語：
図面で説明された本発明の好適実施形態について説明する際に、特定の用語が、明瞭にするために用いられる。しかしながら、本発明は、そのように選択された特定の用語のために限定されないものとし、特定の用語其々は、同様の技術的な目的を達成するために、同様な方法で動作するあらゆる技術的な均等物を含むと理解される。「前方に」、「後方に」、「径方向に」、「周方向に」、「上方に」、「下方に」等の用語は、基準点を提供するのに至便な単語として使用され、限定用語として解釈されない。
【０１７０】
備える（ｃｏｍｐｒｉｓｉｎｇ）及び含む（ｉｎｃｌｕｄｉｎｇ）：
表現言語又は必要な言外の意味により、文脈上他の意味に解釈すべき場合を除いて、  以下の特許請求の範囲において、また本発明に関する前述の説明において、単語「備える（ｃｏｍｐｒｉｓｅ）」又はその変化である「備える（ｃｏｍｐｒｉｓｅｓ）」若しくは「備える（ｃｏｍｐｒｉｓｉｎｇ）」は、包含する意味で使用される、即ち、本発明の様々な実施形態において、更なる特徴の存在又は追加を除外するためでなく、記載された特徴の存在を特定するために、使用される。
【０１７１】
本明細書で使用されるような用語：含む（ｉｎｃｌｕｄｉｎｇ）又は含む（ｗｈｉｃｈ  ｉｎｃｌｕｄｅｓ）又は含む（ｔｈａｔ  ｉｎｃｌｕｄｅｓ）のいずれも、少なくとも該用語に続く要素／特徴を含むが、その他を除外しないことを意味する開放語（ｏｐｅｎ  ｔｅｒｍ）である。従って、含む（ｉｎｃｌｕｄｉｎｇ）は、備える（ｃｏｍｐｒｉｓｉｎｇ）と同義であり、備える（ｃｏｍｐｒｉｓｉｎｇ）を意味する。
【０１７２】
発明の範囲：
従って、本発明の好適実施形態であると思われるものについて記載したが、当業者は、他の更なる変形例が、本発明の精神から逸脱せずに作成される可能性があることに気付くであろう、また、そうした変化及び変形例の全ては、本発明の範囲内にあることを主張するものである。例えば、上記の式は何れも、使用されてもよい手順を表したに過ぎない。機能性は、ブロック図に加える又はブロック図から削除されてもよく、操作は、機能ブロック内で置換されてもよい。ステップは、本発明の範囲内に記載された方法に、追加されてもよい又は該方法から削除されてもよい。
【０１７３】
本発明について、特定の実施例を参照して説明したが、本発明は、他の多くの形で具現化されてもよいことが、当業者によって理解されるであろう。
【産業上の利用可能性】
【０１７４】
以上から、記載された構成は、消費材産業及び清掃産業に適用可能であることは、明らかである。
【図１】
2014534138.tif 000003
【図２】
2014534138.tif 000004
【図３】
2014534138.tif 000005
【図４】
2014534138.tif 000006
【図５】
2014534138.tif 000007
【図６】
2014534138.tif 000008
【図７】
2014534138.tif 000009
【図８】
2014534138.tif 000010
【図９】
2014534138.tif 000011
【図１０】
2014534138.tif 000012
【図１１】
2014534138.tif 000013
【図１２】
2014534138.tif 000014
【図１３】
2014534138.tif 000015
【図１４】
2014534138.tif 000016
【図１５】
2014534138.tif 000017
【図１６】
2014534138.tif 000018
【図１７】
2014534138.tif 000019
【図１８】
2014534138.tif 000020
【図１９】
2014534138.tif 000021
【図２０】
2014534138.tif 000022
【図２１】
2014534138.tif 000023
【図２２】
2014534138.tif 000024
【図２３】
2014534138.tif 000025
【図２４】
2014534138.tif 000026
【図２５】
2014534138.tif 000027
【図２６】
2014534138.tif 000028
【図２７】
2014534138.tif 000029
【国際調査報告】
2014534138.tif 000030
2014534138.tif 000031
2014534138.tif 000032